(57)【要約】      （修正有）【課題】ＤＮＡ多機能防犯、指紋捺印、ＤＮＡ色素遭難標識の機能を果たす水鉄砲を提供する。【解決手段】水鉄砲１の本体カバー２の形状、本体カバー２の収容部外面、内部面の所定位置に製造者指紋捺印１１２、販売者指紋捺印１１３、水鉄砲購入者指紋捺印１１４を有し、またＤＮＡ液体１００、ＤＮＡ粉剤１１１、用紙に格言記載、個人情報証明等を記載して細分化収容する収容部を形成し、ＤＮＡ粉剤１１１有し投擲多機能を有する構成とする。【選択図】図１
2012127538.tif 000002
【特許請求の範囲】
【請求項１】
液体水鉄砲、発射液体を収容する収容部には、ＰＥＴプリフォームを備え、前期液体収容部に収容する液体は弱者本人、製造者、販売者の三者または家族、友人のＤＮＡ液体と植物色素を収容する収容部を備えた液体水鉄砲
【請求項２】
液体水鉄砲、その本体には外部カバーを備え、前期外部カバーの後方、左右側面、上部面またはプリフォームの下部、前方発射口、スイッチレバーの下部に収容部を備え,前記各収容部には弱者本人、製造者、販売者三者または家族、友人ＤＮＡ液体、ＤＮＡ粉剤を単独、混合にて収容部に収容し、前記、ＤＮＡ液体、ＤＮＡ粉剤を出し入れ可能なスライド扉、開口扉を備えた、ＤＮＡ液体、ＤＮＡ粉剤を収容する水鉄砲。
【請求項３】
液体水鉄砲、産業製品、社会生活全般商品、前記液体水鉄砲の部材、部品の外面,内面。前記産業製品、社会生活全般商品の所定位置に弱者本人、製造者、販売者の三者または家族,友人の指紋捺印、格言を記載する液体水鉄砲及び産業製品、社会生活全般商品。
【発明の詳細な説明】
【技術分野】
【０００１】
本発明はＤＮＡ多機能防犯、指紋捺印、ＤＮＡ色素遭難標識に関する。
【背景技術】
【０００２】
従来の水鉄砲は主として玩具、簡易防犯として使われていた。水鉄砲が防犯に使用された場合。加害者からの攻撃を確実に防ぎ、逃亡を許すことなく、逮捕、検挙を確実にするものが無かった。その為、弱者は被害を蒙り、常に泣くのは弱者である。この様な不合理を解消するためには、加害者からの攻撃に対して弱者の体、命、財産を守るための自衛、防衛多段機能が求められる。すなわち、軽量で多機能反撃、識別手段が多ければ多いほど被害者の安全が保障される。身の安全を確保すると共に過剰防衛にならない水鉄砲と不正に対する、攻撃、識別手段が求められている。加害者よりの人為的攻撃、傷害、詐欺事件に対し個人,集団の身と財産を守るための正当防御手段を有する水鉄砲と産業製品、社会全般商品の所有権者と無所有権者との不正と正当識別手段が皆無である。
【０００３】
人間加害者は底志考のため己の欲望を満たすために、罪のない人の命、田畑の生産物を奪うなど罪を犯す、動物もまた、自らの危険、食欲満たすために人間、田畑を攻撃、農作物を奪う。弱者に対して、この様な不合理がこれからも続くのであれば、弱者の身の安全,安心を確保するための強固な防御策、弱者を主体に考える規制緩和が求められる。従来のスタンガン、催涙スプレー等の防犯品は、使用目的が限定されていて高価なものである。これらの防犯具は単一、単二機能であるため加害者に対する防御手段を次々に打つことが出来ない。加害者、動物に対する弱者反撃は手向かう手段が多ければ多いほど、身の危険性を回避でき、被害者、弱者自らの命、体に傷を負うことが回避できる唯一のものである。しかしながら、従来の防犯用具には、自衛、防衛多段機能を有する防犯用具は存在していない。
【０００４】
ＤＮＡ液体、ＤＮＡ粉剤を収容する水鉄砲を山岳遭難、海、溜池等水難遭難事故において、行方不明者の所在確認、行方不明者の捜索に長時間を要する事案がよく発生する。短時間に行方不明の本人確認の居所を発見する為のＤＮＡ液体、ＤＮＡ粉剤と人工、植物色素を有効活用する遭難標識手段が存在しない。
【０００５】
ＤＮＡ液体粉剤水鉄砲、産業製品、社会生活全般商品、例えば名刺の表面、裏面のいずれかの所定位置に、またテレビの外部面、内部面、部品の所定位置に所有権者の指紋捺印を有するものは存在しない。すなわち個人の責任所在が確認できないことが、不法投棄、犯罪等に結びつくが、現在のところ、ＤＮＡ水鉄砲、産業製品、社会生活全般商品に、製造者、販売者、購入所有権者の指紋捺印、格言、記載きがなされていない。故に不正行為が生まれる。
本出願のよる先行調査検索件数０回答のため先行との比較方法ができない。  
【先行技術文献】
【特許文献】
【０００６】
【特許文献１】特開２００５−２２６９８２
【特許文献２】特開平６−２４１６９２
【発明の概要】
【発明が解決しようとする課題】
【０００７】
人間加害者、動物よりの危害から人間の弱者の命、身の安全を確保するには、弱者すなわち被害者（高齢者、児童など）が容易に使用でき、しかも加害者に対し弱者反撃できて、過剰防衛にならない多機能、防具、武器であればあるほど身の安全が向上する。過去に起こった殺人、傷害、農作物窃盗事件が発生しているにも関わらず加害者が逃亡し、加害者を検挙できない未解決事件が多発する現状は、被害者関係者にとってその苦痛はやりきれない。被害者が加害者、動物の犯罪から逃れることが出来、抵抗して身の安全が確保出来る多機能を有する防犯具が備えられるならば。犯罪者、動物に対する抑止力、安全保障が確立される。そして犯罪の予防効果を生み出す。弱者自身の防御態勢を整えられる多機能（ＤＮＡ収容物の投擲機能を有するもの）ＤＮＡ液体発射水鉄砲、ＤＮＡ粉剤投擲可能な防具が求められる。
【０００８】
また不正、不法、詐欺行為から逃れるために、弱者救済のためのＤＮＡ液体、粉剤水鉄砲、産業製品、社会生活全般商品に指紋捺印、格言記載による所有権者の適正所在確認を有する手段が求められている。
【課題を解決するための手段】
【０００９】
そして、本発明は上記目的を達成するために、加害者の攻撃に対して弱者反撃を可能にする為の水鉄砲には、ＤＮＡ液体水噴射機能１、事件現場の周囲に知らせる発射音、ＤＮＡ液体粉剤手動投擲、ＤＮＡ液体１００（人工,植物色素による着色液、ＤＮＡ、血液、唾液、汗、尿、糖主要）ＤＮＡ粉剤１１１（毛髪、唾液、皮膚、体液,爪,小麦粉との混合撹拌）ＬＥＤ照射幻惑,事件現場の周囲に知らせる緊急発音、発信機、加害者を写すカメラを搭載、用紙、水鉄砲本体の外面、内部面に記載する氏名  年齢  生年月日  性別  血液型  格言字体筆跡等を各収容部の外面にまた内部収容すれば多機能個人情報を搭載した水鉄砲が形成される、これらの機能を水鉄砲本体１と本体カバー２に搭載する。また個別、複数の機能を相互に組み合わせることも可能である。水鉄砲１とは発射機能を有する手動ポンプ、電動ポンプと液体を収容する容器とで構成した構造であり、そのポンプ本体１の上部には本体カバ―２がスライド嵌合して水鉄砲全体１を形成している。
【００１０】
本発明においては水鉄砲１の本体カバー２の形状、本体カバー２の収容部外面、内部面の所定位置に製造者指紋捺印１１２、販売者指紋捺印１１３、水鉄砲購入者指紋捺印１１４を有し、またＤＮＡ液体１００、ＤＮＡ粉剤１１１、用紙に格言記載、個人情報証明等を記載して細分化収容する収容部を形成し、ＤＮＡ粉剤１１１有し投擲多機能を有する構成とする。
【００１１】
各収容部の機能、及び配列、組み合わせについての説明において、図での説明は省略し、文で説明する。各収容部の機能を有する構成するには、１、本体カバー上段中央部にはＬＥＤ照射機を搭載可能に形成し、前方右側面（下の段）には収容部が形成され、この収容部には発音体（爆竹、防犯ブザー）等が収容可能な収容部であって、例えば球体爆竹を使用する場合、収容部内部底面は持ち手前方方行に傾斜して、球体爆竹がスイッチレバーの筒受けに物理的に転がり落ち静止する構造である。スイッチレバー６を引くと球体爆竹が破損して爆音を周囲に知らせる。
【００１２】
前方左側面収容部にはＤＮＡ粉剤１１１を収容する収容部を備え。この収容部側面の外側面にはＤＮＡ粉剤１１１を取り出すためのスライド開閉扉８が形成されている。このスライド扉８はＤＮＡ粉剤１１１の出し入れに使用する。液体、粉剤水鉄砲１持ち手の親指のみでスライド扉８は開閉を自在に行いＤＮＡ粉剤１１１を取り出すことが可能となる。
【００１３】
次に１段目の右側面収容部には発信機を搭載する位置は前方右側面発音体の収容部の上部に設けてもよい。
【００１４】
次に１段目中央部にはＬＥＤ照射幻惑装置を備えた収容部が形成され、加害者の目に対する幻惑攻撃に活用する。
【００１５】
次に1段目左側面収容部には加害者顔、体全体を写すカメラの収容位置であり、そのカメラ搭載位置は下の段の前方左側面ＤＮＡ粉剤収容部１１１の上部に設けてもよい。
【００１６】
またＤＮＡ液体１００、及びＤＮＡ粉剤１１１の混合された物質の収容部（カプセル）の配置位置は液体収容部（プリフォーム）３の底部外面にプリフォーム形状３のカプセルを下部より挿入すればよい、このプリフオーム底部に挿入するカプセル内にＤＮＡ液剤１００、ＤＮＡ粉剤等１１１を収容しておきプリフォーム３の底部外面に差し込んで置けばよい。万一と時にはプリフォーム３とカプセル５３を離してカプセル収容物を手の平に握るか、カプセル５３ごと加害者の身体に投擲すればよい。投擲された粉剤、液体は加害者の身体に付着する。これは加害者にとっては犯罪の弱者ＤＮＡ痕跡を身体に有することになる。すなわち,その場を逃亡しても被害者のＤＮＡ液体粉剤１００，１１１の証拠物件が付着するため、捜査関係者には、貴重な資料と成る。
【００１７】
液体,粉剤水鉄砲１、その本体１、本体カバー２の外面及び内部面に、弱者本人１１４、製造者１１２,販売者１１３,家族、友人の指紋捺印、格言記載７７７を所定位置に配備して個人情報をＤＮＡ液体１００、粉剤収容部水鉄砲１に有することで第三者がこの所有権者の液体粉剤水鉄砲１を所持することは、窃盗、不法所持としての犯罪行為であるので、不正に対する抑止力になる。
【発明の効果】
【００１８】
上述したように本発明の多機能水鉄砲は、人間加害者、動物の攻撃に対して、液体（ＤＮＡ収容）を発射する機能と微細ＤＮＡ粉剤１１１を収容した収容部から取り出し手動投擲可能な微細粉剤ＤＮＡと照明投射する機能を有し加害者の目に対してＬＥＤ光線での幻惑を誘い、スイッチレバーに連動する爆竹音,防犯ブザーを装備した水鉄砲であるため発音体により、人、動物の攻撃を防げる防御機能を高めることは人の身体を守る有効対策を確立することとなる。また海難、山岳、水、海難事故遭難事故現場、当事者の所在を明らかにする、人工、植物色素が有効である。玩具も使い様によって、人の命、財産を自衛、防衛できることを証明するのが自分の使命である。
【００１９】
液体粉剤水鉄砲、産業製品、社会生活商品に当事者同士が指紋捺印、格言記載を施す事は製品への安心感が生まれ生産から販売、製品購入者との信用と信頼関係が公正に成り立ち、社会の秩序、環境の向上に役立つ。
【図面の簡単な説明】
【００２０】
【図１】本発明の実施形態を示すＤＮＡ多機能水鉄砲の斜視図である。
【図２】本発明の実施形態を示すＤＮＡ多機能水鉄砲の側面図である。
【図３】本発明の実施形態を示すＤＮＡ多機能水鉄砲の平面図である。
【図４】本発明の実施形態を示す名刺表面に指紋捺印の斜視図である  なお、ＤＮＡ多機能水鉄砲の正面図、背面図は省略する。
【発明を実施するための形態】
【００２１】
図１はＤＮＡ多機能水鉄砲１の斜視図であり、水鉄砲本体１の内部には発射機能ホンプ１が形成されている。本体１を覆う本体カバー２が形成され、液体収容部にはＰＥＴプリフォーム３が備えられそのＰＥＴプリフォーム３にはＤＮＡ液体１００を収容する。本体カバー上面２には製造者指紋捺印１１２、販売者指紋捺印１１３、商品購入者指紋捺印１１４格言７７７が記載されている。本体カバー２のみならず、各収容部の外面、内部面に指紋捺印、格言記載を施した液体水鉄砲である。本体カバー２の後部粉剤収容部７の内部にはＤＮＡ粉剤１１１を収容し、この収容部側面にはスライド開口部扉８が形成されている。この開閉扉８は収容部内部のＤＮＡ粉剤１１１の出し入れに使用するためのものである。
【００２２】
図２は多機能水鉄砲１の.側面図である。上記の説明の通り、プリフォーム内部３にはＤＮＡ液体１００が収容されその液体は手動、電動水鉄砲１のポンプ機能により、液体発射が行われる。また本体カバー２の上面、側面、後面または後部収容部側面には７には開閉扉８が形成されている。このＤＮＡ粉剤１１１の使用目的は加害者、事件、事故現場路上に対するＤＮＡ粉剤投擲に使用するものである。
【００２３】
図3は多機能水鉄砲１平面図である。プリフォーム外面に張り付け記載する格言記入は弱者本人が記入することで、事故の場合は弱者個人の格言筆跡鑑定７７７を行えば一目同然の所有権者の識別判定が即時に得られる。また本体カバーの上面、側面には製造者１１２、販売者１１３、購入者１１４の指紋捺印、格言記載７７７が施されている。弱者本人、当事者間の筆跡記載が条件である。
【００２４】
図4は名刺表面の斜視図である。名刺表面には、指紋捺印、格言記載７７７を行う所定位置が設けられている。その所定位置には製造者、販売者、購買者の三者の指紋が捺印されている。この名刺捺印は商品取引を行う前にお互いが捺印を行うため、販売者への信用と信頼が生まれ、捺印を積極的にしない相手は、取引は行わないことにするとよい。本来名刺とは名刺所有者自ら記入するのが最低条件であるべきである。
【００２５】
各粉剤収容部のカプセルの配置において、１  前方発射カプセル５にはＤＮＡ液体１００またはＤＮＡ粉剤１１１を収納し前方発射係止部に挿入固定する。２  ＰＥＴプリフォーム３の下部より挿入するプリフォームカプセルに収納するＤＮＡ液体１００またはＤＮＡ粉剤１１１いずれかを収納しカプセル係止部なで挿入固定を行う。３  発射レバー係止部に挿入する発射レバーカプセルにはＤＮＡ液体１００またはＤＮＡ粉剤１１１を収容した後に発射レバー係止部に挿入固定を行う。水鉄砲発射ポンプとＤＮＡ液体収容部、すなわちＰＥＴプリフォーム収容部注入口と発射ポンプ側の円形雌螺子との結合はＰＥＴプリフォーム注入口雄螺子とが回転結合により発射ポンプ１とＰＥＴプリフォーム３とが一体となる。
【符号の説明】
【００２６】
１      水鉄砲の本体（簡易ポンプ  電動ポンプ）  
２      本体カバー
３      プリフォーム収容部
４      ネックリング
５      ノズル
６      スイッチレバー
７      ＤＮＡ粉剤後部収容部  
８      後部収容部スライドレバー
１０    結合部
５０    前方発射口カプセル  
５２    発射レバーカプセル
５３    プリフォームカプセル
１００  ＤＮＡ液体（体液、汗  血液  唾液、刺激臭）
１１１  ＤＮＡ粉剤（毛髪、爪、唾液、体毛、体臭、指紋捺印紙、精液,腐敗物、用紙記載個人情報）
１１２  製造者指紋捺印
１１３  販売者指紋捺印
１１４  液体水鉄砲、購入者指紋捺印
３３３  名刺（産業製品、社会生活全般商品）
５５５  シール（ＲＩＧＨＴ、ＥＳＴＡＢＬＩＳＨ商標）
７７７  記載格言
【図１】
2012127538.tif 000003
【図２】
2012127538.tif 000004
【図３】
2012127538.tif 000005
【図４】
2012127538.tif 000006